(57)【要約】【課題】剛体部を有する圧搾可能な容器を提供する。【解決手段】第一端部及び第二端部を備えた細長い殻体を含み、第一端部の近くに圧搾可能な密封室があり、第一端部と第二端部の間の剛体部に開き機構を設け、細長い殻体の中には少量の物質を貯蔵且つ分配することが出来る。剛体部の開き機構を打開すると、密封室を開放することが出来、且つ第二端部から開放済みの密封室を分離し、元の密封室を圧搾することによって、密封室に貯蔵された内容物を抽出することが出来る。【選択図】  図１
2008502548.tif 000002
【特許請求の範囲】
【請求項１】
第一端部及び第二端部を備えた細長い殻体を含み、前記第二端部の近くに圧搾可能な密封室があり、前記第一端部と第二端部の間の剛体部に開き機構を設け、前記細長い殻体の中には少量の物質を貯蔵且つ分配することが出来、前記剛体部の前記開き機構を打開すると、前記密封室を開放すると共に、第二端部から開放済みの密封室を分離させ、元の前記密封室を押し付けて絞ることによって前記密封室に貯蔵された内容物を抽出することが出来るようにしたことを特徴とする剛体部を有する圧搾可能な容器。
【請求項２】
前記開き機構は、刻み線であって、線に沿って折断し、前記密封室内に貯蔵した物質を放出できることを特徴とする請求項１に記載の圧搾可能な容器。
【請求項３】
前記物質は、液体であることを特徴とする請求項１に記載の圧搾可能な容器。
【請求項４】
前記物質は、粘性物質であることを特徴とする請求項１に記載の圧搾可能な容器。
【請求項５】
前記物質は、粉剤であることを特徴とする請求項１に記載の圧搾可能な容器。
【請求項６】
通常全長に渡って一定の直径を有し、第一端部及び第二端部を備えた細長い殻体を含み、前記第一端部の近くに圧搾可能な密封室があり、前記第一端部と第二端部の間の剛体部に開き機構を設け、前記細長い殻体の中には少量の物質を貯蔵且つ分配することが出来、前記剛体部に設けた前記開き機構に沿って前記密封室を打開すると共に、第二端部から開放済みの前記密封室を分離させ、元の前記密封室を押し付けて絞ることによって前記密封室に貯蔵された内容物を抽出することが出来るようにしたことを特徴とする剛体部を有する圧搾可能な容器。
【請求項７】
前記開き機構は、刻み線であって、線に沿って折断し、前記密封室内に貯蔵された物質を放出出来るようにしたことを特徴とする請求項６に記載の圧搾可能な容器。
【請求項８】
前記物質は、液体であることを特徴とする請求項６に記載の圧搾可能な容器。
【請求項９】
前記物質は、粘性物質であることを特徴とする請求項６に記載の圧搾可能な容器。
【請求項１０】
前記物質は、粉剤であることを特徴とする請求項６に記載の圧搾可能な容器。
【請求項１１】
第一密封端部及び第二開放端部と、細長い剛体部を備えた細長い殻体を含み、前記細長い剛体部に開き機構を設け、前記開き機構の一方に密封端部があり、他方に開放端部があり、前記開放端部は前記圧搾可能な細長い殻体の前記第二開放端部に附設され、前記細長い圧搾可能な殻体の中には少量の物質を貯蔵且つ分配することが出来、前記開き機構に沿って前記細長い剛体部を打開し、前記折断された前記細長い剛体から打開済の圧搾可能な細長い殻体を分離させ、前記密封室を圧搾することによって前記密封室に貯蔵された内容物を抽出することが出来るようにしたことを特徴とする剛体部を有する圧搾可能な容器。
【請求項１２】
前記開き機構は、刻み線であって、線に沿って折断することによって、前記圧搾可能な細長い殻体内に貯蔵された物質を放出できることを特徴とする請求項１１に記載の圧搾可能な容器。
【請求項１３】
前記物質は、液体であることを特徴とする請求項１１に記載の圧搾可能な容器。
【請求項１４】
前記物質は、粘性物質であることを特徴とする請求項１１に記載の圧搾可能な容器。
【請求項１５】
前記物質は、粉剤であることを特徴とする請求項１１に記載の圧搾可能な容器。
【請求項１６】
前記細長い剛体部の前記密封端部には、塗布器が附設されると共に、前記細長い剛体部及び前記細長い圧搾可能な殻体内に配置されていることを特徴とする請求項１１に記載の圧搾可能な容器。
【請求項１７】
前記細長い剛体部の前記密封端部には、塗布器が附設されると共に、前記細長い剛体部及び前記細長い圧搾可能な殻体内に配置されていることを特徴とする請求項１２に記載の圧搾可能な容器。
【発明の詳細な説明】
【技術分野】
【０００１】
本発明は、小型の密封容器、特に圧搾可能部及び剛体部を有する小型の細長い密封容器に関するものである。
【背景技術】
【０００２】
細長い管状を呈する普通の小型容器は、通常、少量の物質、例えば、香水・アルコール及び薬品などを、分配又は使用する場合に役立てることが出来る。小型容器の内容物は、通常一度に使い切ることはない。従って、容器は再度封じることが出来るものでなければならない、さもなければ、余った内容物を捨てなければならない。
従来の設計では、容器は通常マルチ用途として設計され、汚染の心配がある場合は、使い捨て塗布器を使用するほかない。特に、従来の設計は、容量が過当なため、しかも汚染問題を考慮して、繰り返し内容物に接触する場合は、複数の塗布器を用意しなければならない、従って、本発明に係る小型容器に比べ、その体積は通常比較的大きく、製造コストも高い。又、従来の設計では、運搬に不便で、コンパクトな体積を形成しにくい。
【発明の開示】
【発明が解決しようとする課題】
【０００３】
本発明の目的は、薬品のような少量の物質を、密封した環境の中に貯蔵して保存し、いつでも容易く衛生的に流体を対象物に施すことの出来る小型の細長い密封容器を提供することにある。
本発明のもう一つの目的は、細長い容器の内容物を完全に密封し、容器から漏れたり、蒸発したりすることがなく、又汚染されることもない小型の細長い密封容器を提供することにある。
【課題を解決するための手段】
【０００４】
本発明に係る小型の細長い密封容器は、剛体部を有する圧搾可能な容器からなり、前記圧搾可能な容器は、第一端部及び第二端部を備え、前記第一端部の近くに圧搾可能な密封室がある；前記剛体部には、開き機構を設け、細長い容器の第一端部及び第二端部の間にある圧搾可能な密封室内の内容室に進入できるようになっている。第一端部の近くにある圧搾可能な密封室が開き機構によって打開されると、前記圧搾可能な密封室は第二端部から分離する。元の密封室内の内容物は、必要な箇所に塗布することが出来る。対象物に内容物を塗布した後、元の密封室は廃棄される。
【発明の効果】
【０００５】
本発明は、従来の物品に比べ、下記のような長所がある。
圧搾可能な細長い殻体の中に適当な内容物を装填することが出来、打開した後は、前記内容物が一回の使用量となり、使用に便利である。
現今の環境保護のニーズに合致し、環境汚染を避けることが出来る。
製作コストが安く、体積が小さく、運搬に便利で、実用性が高い。
【発明を実施するための最良の形態】
【０００６】
図１は、剛体部を有する圧搾可能な容器の一実施例を示す。前記圧搾可能な容器には、第一端部２及び第二端部３を備えた細長いプラスチック殻体１を含む。この実施例では、細長いプラスチック殻体１は、通常一定の外径を有する。圧搾可能な密封室４は、第一端部２の近くに位置し、刻み線状を呈する開き機構５を細長い殻体１の第一端部２及び第二端部３の間の剛体部６に設けてある。細長いプラスチック殻体１の、圧搾可能な密封室４に当たる部分は、壁厚が比較的薄く、密封室４を圧搾し易いようになっている。細長いプラスチック殻体１の、剛体部６に当たる部分は、通常固形状又は比較的厚い壁厚をなし、曲げや圧力に耐えやすくしてあるが、刻み線状を呈す開き機構５に力を加えて折ることが出来るようになっている。この剛体部６を有する圧搾可能な容器は、少量の物質、例えば、液体・粘性物・又は粉剤を、圧搾可能な密封室４の中に貯蔵することが出来る。開き機構５によって、圧搾可能な密封室４を開き、且つ第二端部３から元の密封室４を分離させ、圧搾可能な密封室４を押し付けて絞ると、内容物質が圧搾可能な密封室４から抽出される。
【０００７】
図２は、剛体部を有する圧搾可能な容器の別の実施例を示す。この実施例では、前記圧搾可能な容器は、第一密封端部８及び第二開放端部９を備えた圧搾可能な細長い殻体７を含む。密封端部１１及び開放端部１２を備えた細長い剛体部１０及びその開放端部１２が前記圧搾可能な細長い殻体７の第二開放端部９に差し込まれると共に貼り付けられ、圧搾可能な細長い殻体７を密封させる。刻み線状を呈すような開き機構１３が前記圧搾可能な細長い殻体７外の細長い剛体部１０に形成され、細長い剛体部１０を折断して開放し易いようにしてある。前記圧搾可能な細長い殻体７は、少量の物質を貯蔵し、且つ開き機構１３に沿って細長い剛体部１０を折断して物質を分配することが出来る。又、断裂した細長い剛体部１０から既に開かれた圧搾可能な細長い殻体７を分離させ、圧搾可能な細長い殻体７を絞ると、圧搾可能な細長い殻体７内の内容物を抽出することが出来る。
【０００８】
図３は、剛体部を有する圧搾可能な容器の別の実施例を示す。この実施例では、前記圧搾可能な容器は、第一密封端部８及び第二開放端部９を備えた圧搾可能な細長い殻体７を含む。密封端部１１及び開放端部１２を備えた細長い剛体部１０及びその開放端部１２が前記圧搾可能な細長い殻体７の第二開放端部９に差し込まれると共に貼り付けられ、圧搾可能な細長い殻体７を密封させる。刻み線状を呈すような開き機構１３が前記圧搾可能な細長い殻体７及び圧搾可能な細長い殻体７の細長い剛体部１０に形成され、細長い剛体部１０を折断して開放し易いようにしてある。前記圧搾可能な細長い殻体７は、少量の物質を貯蔵し、且つ開き機構１３に沿って細長い剛体部１０を折断・打開して物質を分配することが出来る。又、断裂した細長い剛体部１０から既に開かれた圧搾可能な細長い殻体７を分離させ、圧搾可能な細長い殻体７を押し付けて絞ると、圧搾可能な細長い殻体７内の内容物を抽出することが出来る。
【０００９】
図４は、図２に示す剛体部を有する圧搾可能な容器に、塗布器１４を含むことを示す。この実施例では、前記圧搾可能な容器は、第一密封端部８及び第二開放端部９を備えた圧搾可能な細長い殻体７を含む。密封端部１１及び開放端部１２を備えた細長い剛体部１０及びその開放端部１２が前記圧搾可能な細長い殻体７の第二開放端部９に差し込まれると共に貼り付けられ、圧搾可能な細長い殻体７を密封させる。刻み線状を呈すような開き機構１３が前記圧搾可能な細長い殻体７外の細長い剛体部１０に形成され、細長い剛体部１０を折断して開放し易いようにしてある。ブラシ・綿・又はスポンジ先端を備えたような塗布器１４が細長い剛体部１０の密封端部１１に付設され、且つ細長い剛体部１０及び圧搾可能な細長い殻体７の中に配置されている；前記圧搾可能な細長い殻体７は、少量の物質を貯蔵することが出来、且つ開き機構１３に沿って細長い剛体部１０を折断して物質を分配することが出来る。又、断裂した細長い剛体部１０から既に開かれた圧搾可能な細長い殻体７を分離させ、圧搾可能な細長い殻体７を押し付けて絞ると、圧搾可能な細長い殻体７内の内容物を抽出することが出来る。圧搾可能な細長い殻体７と既に断裂した細長い剛体部１０が分離されると、塗布器１４によって圧搾可能な細長い殻体７の内容物を応用することが出来る。
【００１０】
図５は、図３に示す剛体部を有する圧搾可能な容器に、塗布器１４を含むことを示す。この実施例では、前記圧搾可能な容器は、第一密封端部８及び第二開放端部９を備えた圧搾可能な細長い殻体７を含む。密封端部１１及び開放端部１２を備えた細長い剛体部１０及びその開放端部１２が前記圧搾可能な細長い殻体７の第二開放端部９に差し込まれると共に貼り付けられ、圧搾可能な細長い殻体７を密封させる。刻み線状を呈すような開き機構１３が前記圧搾可能な細長い殻体７及び圧搾可能な細長い殻体７内の細長い剛体部１０に形成され、細長い剛体部１０を折断して開放し易いようにしてある。ブラシ・綿・又はスポンジ先端を備えたような塗布器１４が細長い剛体部１０の密封端部１１に付設され、且つ細長い剛体部１０及び圧搾可能な細長い殻体７の中に配置されている；前記圧搾可能な細長い殻体７は、少量の物質を貯蔵することが出来、且つ開き機構１３に沿って細長い剛体部１０を折断して物質を分配することが出来る。又、断裂した細長い剛体部１０から既に開かれた圧搾可能な細長い殻体７を分離させ、圧搾可能な細長い殻体７を押し付けて絞ると、圧搾可能な細長い殻体７内の内容物を抽出することが出来る。圧搾可能な細長い殻体７と既に断裂した細長い剛体部１０が分離されると、塗布器１４によって圧搾可能な細長い殻体７の内容物を応用することが出来る。
【００１１】
本発明は、上に開示した特別な実施例及び応用例によって説明したが、この方面の技芸について普通の知識を有する者が本の説明を参照して、本発明の特許請求範囲を逸脱又は超過せずに別の実施例及び修飾例を考案することもあり得る、しかし、本の図面や説明は、本発明の応用を理解するためのものであり、本発明の特許請求範囲を制限するものではないものとする。  
【図面の簡単な説明】
【００１２】
【図１】本発明の剛体部を有する圧搾可能な容器の一実施例である。
【図２】本発明の剛体部を有する圧搾可能な容器の別の実施例である。
【図３】本発明の剛体部を有する圧搾可能な容器の別の実施例である。
【図４】本発明の剛体部を有する圧搾可能な容器の別の実施例である。
【図５】本発明の剛体部を有する圧搾可能な容器の別の実施例である。
【符号の説明】
【００１３】
1      細長い殻体
２      第一端部
３      第二端部
４      圧搾可能な密封室
５      開き機構
６      剛体部
７      圧搾可能な細長い殻体
８      第一密封端部
９      第二開放端部
１０    密封端部
１１    開放端部
１２    細長い剛体部
１３    開き機構
１４    塗布器
【図１】
2008502548.tif 000003
【図２】
2008502548.tif 000004
【図３】
2008502548.tif 000005
【図４】
2008502548.tif 000006
【図５】
2008502548.tif 000007
【国際調査報告】
2008502548.tif 000008